(57)【要約】【課題】使用感を向上でき、ユーザに対してストレスを感じさせることがないように電力制御モードを適切に設定できる移動局を提供する。【解決手段】通信相手機器300と通信する通信部101と、第１電力制御モードの情報および、該第１電力制御モードよりも省電力で動作させる第２電力制御モードの情報を記憶する記憶部102と、通信部101により通信相手機器300から取得した情報に基づいて、充電池109が充電可能環境下であると判定すると第１電力制御モードを設定し、充電池109が充電不可能環境下であると判定すると第２電力制御モードを設定する電力制御部111と、を備える。【選択図】図１
2010056922.tif 000002
【特許請求の範囲】
【請求項１】
充電池を内蔵する移動局において、
通信相手機器と通信する通信部と、
第１電力制御モードの情報および、該第１電力制御モードよりも省電力で動作させる第２電力制御モードの情報を記憶する記憶部と、
前記通信部により前記通信相手機器から取得した情報に基づいて、前記充電池が充電可能環境下であると判定すると、前記第１電力制御モードを設定し、前記充電池が充電不可能環境下であると判定すると、前記第２電力制御モードを設定する電力制御部と、
を備えることを特徴とする移動局。
【請求項２】
充電池を内蔵する移動局において、
通信相手機器と通信する通信部と、
第１電力制御モードの情報および、該第１電力制御モードよりも省電力で動作させる第２電力制御モードの情報を記憶する記憶部と、
前記通信部により前記通信相手機器から取得した情報に基づいて、前記充電池が充電可能環境下であると判定すると、前記充電池の残容量に基づいて前記第１電力制御モードまたは前記第２電力制御モードを設定し、前記充電池が充電不可能環境下であると判定すると、前記第２電力制御モードを設定する電力制御部と、
を備えることを特徴とする移動局。
【請求項３】
前記電力制御部は、前記充電池が充電可能環境下であると判定すると、前記充電池の残容量が設定値以上の場合は、前記第１電力制御モードを設定し、前記充電池の残容量が設定値未満の場合は、前記第２電力制御モードを設定する、ことを特徴とする請求項２に記載の移動局。
【請求項４】
前記電力制御部は、前記通信相手機器から取得した情報に、充電器を示す識別子が含まれている場合、前記充電池が充電可能環境下であると判定する、ことを特徴とする請求項１乃至３のいずれか一項に記載の移動局。
【請求項５】
前記記憶部は、当該移動局の動作設定項目に基づく電力プロファイルを定義して、前記第１電力制御モードの情報および前記第２電力制御モードの情報を記憶することを特徴とする請求項１乃至４のいずれか一項に記載の移動局。
【発明の詳細な説明】
【技術分野】
【０００１】
本発明は、駆動電源としての充電池を内蔵する移動局、より詳しくは移動局の電力制御に関するものである。
【背景技術】
【０００２】
従来の移動局として、例えば、駆動電源としての充電池の残容量を監視し、残容量が設定値以下となった場合は、画像データの転送を禁止し、音声データのみの通信を行う省電力モードとする携帯テレビ電話端末が知られている（例えば、特許文献１参照）。また、他の移動局として、ＧＰＳを搭載して位置情報を取得し、その位置情報に基づいて使用中の電源の種類および使用中のネットワークの種類を判定し、その判定結果に基づいて、内蔵するＣＰＵの動作クロック周波数、表示装置の明るさ、等の電力プロファイルを特定して電力制御を行う電子機器が知られている（例えば、特許文献２参照）。
【０００３】
【特許文献１】特開２０００−３２４２１号公報
【特許文献２】特開２００５−２５３８１号公報
【発明の開示】
【発明が解決しようとする課題】
【０００４】
ところで、例えば、携帯電話端末の場合は、一般に、約８０％が屋内で利用されていると言われている。このことから、携帯電話端末は、会社や家庭など、近くにＡＣコンセントが設置され、充電器により直ぐに充電池を充電できる環境での使用比率が高いことが伺える。
【０００５】
さらに、近年では、一般回線を介して移動体通信網に接続されるフェムトセル基地局、無線ＬＡＮやＢｌｕｅｔｏｏｔｈなど、比較的狭い範囲での無線通信を行う機器が増加している。また、これらの機器は、ユーザ所有の機器である場合も多く、移動局の充電機能を併設している可能性も高いと言える。
【０００６】
しかしながら、特許文献１に開示のように、充電池の残容量に基づいて電力を制御する移動局の場合は、直ぐに充電を行える環境下で使用中であっても、充電池の残容量が設定値以下になると、一義的に省電力の電力制御モードに設定されることになる。同様に、特許文献２に開示のように、移動局の位置情報に基づいて、使用電源および使用ネットワークの種類を判定して電力を制御する移動局の場合は、直ぐに充電を行える環境下で使用中であっても、一義的に所定の電力制御モードが設定されることになる。
【０００７】
このため、上述した従来の移動局においては、例えば、充電池の充電可能環境下である家庭で電子メールを作成している際に、表示装置の駆動が停止したり、あるいは家庭で動画を視聴している際に、解像度やフレームレートが低下したりして、ユーザに対して使用感の低下やストレスを感じさせることが懸念される。
【０００８】
したがって、かかる状況に鑑みてなされた本発明の目的は、使用感を向上でき、ユーザに対してストレスを感じさせることがないように電力制御モードを適切に設定できる移動局を提供することにある。
【課題を解決するための手段】
【０００９】
上記目的を達成する請求項１に係る移動局の発明は、充電池を内蔵する移動局において、
通信相手機器と通信する通信部と、
第１電力制御モードの情報および、該第１電力制御モードよりも省電力で動作させる第２電力制御モードの情報を記憶する記憶部と、
前記通信部により前記通信相手機器から取得した情報に基づいて、前記充電池が充電可能環境下であると判定すると、前記第１電力制御モードを設定し、前記充電池が充電不可能環境下であると判定すると、前記第２電力制御モードを設定する電力制御部と、
を備えることを特徴とするものである。
【００１０】
さらに、上記目的を達成する請求項２に係る移動局の発明は、充電池を内蔵する移動局において、
通信相手機器と通信する通信部と、
第１電力制御モードの情報および、該第１電力制御モードよりも省電力で動作させる第２電力制御モードの情報を記憶する記憶部と、
前記通信部により前記通信相手機器から取得した情報に基づいて、前記充電池が充電可能環境下であると判定すると、前記充電池の残容量に基づいて前記第１電力制御モードまたは前記第２電力制御モードを設定し、前記充電池が充電不可能環境下であると判定すると、前記第２電力制御モードを設定する電力制御部と、
を備えることを特徴とするものである。
【００１１】
請求項３に係る発明は、請求項２に記載の移動局において、
前記電力制御部は、前記充電池が充電可能環境下であると判定すると、前記充電池の残容量が設定値以上の場合は、前記第１電力制御モードを設定し、前記充電池の残容量が設定値未満の場合は、前記第２電力制御モードを設定する、ことを特徴とするものである。
【００１２】
請求項４に係る発明は、請求項１乃至３のいずれか一項に記載の移動局において、
前記電力制御部は、前記通信相手機器から取得した情報に、充電器を示す識別子が含まれている場合、前記充電池が充電可能環境下であると判定する、ことを特徴とするものである。
【００１３】
請求項５に係る発明は、請求項１乃至４のいずれか一項に記載の移動局において、
前記記憶部は、当該移動局の動作設定項目に基づく電力プロファイルを定義して、前記第１電力制御モードの情報および前記第２電力制御モードの情報を記憶することを特徴とするものである。
【発明の効果】
【００１４】
本発明によれば、通信相手機器から取得した情報に基づいて、充電池が充電可能環境下であると判定された場合は、省電力の第２電力制御モードには移行せずに動作させることができるので、使用感を向上でき、ユーザに対してストレスを感じさせるのを防止することができる。
【発明を実施するための最良の形態】
【００１５】
以下、本発明の実施の形態について、移動局である携帯電話端末を例にとって説明する。
【００１６】
（第１実施の形態）
図１（ａ）および（ｂ）は、本実施の形態に係る携帯電話端末の使用態様を説明するための図である。本実施の形態に係る携帯電話端末１００は、屋外では、図１（ａ）に示すように、例えば半径数百ｍの広範囲のエリア１０をカバーするマクロセル基地局２００を通信相手機器として通信可能であり、家庭等の屋内では、図１（ｂ）に示すように、例えば半径数十ｍの狭範囲のエリア２０をカバーし、一般回線を介して移動体通信網に接続されたフェムトセル基地局３００を通信相手機器として通信可能である。また、屋内には、図１（ｂ）に示すように、携帯電話端末１００の充電池を充電する充電器４００が存在している。充電器４００は、図示しないＡＣコンセントに接続することにより、携帯電話端末１００の充電池の充電が可能であるとともに、フェムトセル基地局３００と無線通信が可能である。
【００１７】
図２は、図１に示した携帯電話端末１００の要部の構成を示す機能ブロック図である。携帯電話端末１００は、通信部１０１、記憶部であるメモリ１０２、キーパッドや各種センサ等の入力部１０３、ＬＣＤ（Liquid Crystal Display）等の表示部１０４、音声やビープ音等を発生するスピーカ１０５、音声を電気信号に変換するマイク１０６、着信等を報知するバイブレータ１０７、ＵＳＢやＳＤカード等と接続するための外部Ｉ／Ｆ（インタフェース）１０８、充電池（バッテリ）１０９、充電器４００に接続するための充電Ｉ／Ｆ１１０、電力制御部１１１、全体の動作を制御するＣＰＵを有する処理部１１２を備える。
【００１８】
この携帯電話端末１００は、通信部１０１と通信相手機器であるマクロセル基地局２００やフェムトセル基地局３００との間で、ＣＤＭＡ（Code Division Multiple Access）やＧＳＭ（Global System for Mobile Communications）、ＬＴＥ（Long Term Evolution）等の通信方式により無線通信を行い、この無線通信を中継として、図示しない相手電話端末やサーバと通信を行う。例えば、音声通信の場合は、マイク１０６で変換された音声信号を、処理部１１２によりデジタル信号に変換した後、通信部１０１でＣＤＭＡやＧＳＭやＬＴＥのＲＦ信号に変換してマクロセル基地局２００やフェムトセル基地局３００に送信する。また、通信部１０１で受信されたＣＤＭＡやＧＳＭやＬＴＥのＲＦ信号は、該通信部１０１でデジタル信号に変換した後、処理部１１２でアナログ信号に変換して、スピーカ１０５から音声として出力する。
【００１９】
メモリ１０２は、ソフトウェア等の書き込み領域および処理部１１２の作業領域として機能するとともに、第１電力制御モードの情報および、該第１電力制御モードよりも省電力で動作させる第２電力制御モードの情報を記憶する。ここで、第１電力制御モードの情報および第２電力制御モードの情報は、処理部１１２の動作クロック周波数（ＣＰＵクロック）、表示部１０４のバックライト、スピーカ１０５の音量、処理部１１２によるスリープモードへの移行時間、表示部１０４への表示画像の解像度や動画像表示のフレームレート等の動作設定項目に基づいて定義された電力プロファイルとして記憶する。
【００２０】
また、本実施の形態に係る携帯電話端末１００は、充電器４００に接続していない場合、通信相手機器であるマクロセル基地局２００やフェムトセル基地局３００を介してセッションを開始した後、通信相手機器に対して、通信部１０１から当該携帯電話端末１００が充電池１０９を充電できる環境下にあるか否かの充電可否問合せ情報を送信する。その結果、通信相手機器から応答があれば、通信部１０１で取得した応答情報を、処理部１１２を介して電力制御部１１１に供給する。また、応答がなければ、充電不可能の環境にあるものとして、その旨を示す応答情報を処理部１１２で生成して電力制御部１１１に通知する。
【００２１】
電力制御部１１１は、充電池１０９の残容量を監視するとともに、充電Ｉ／Ｆ１１０を介して充電器４００から電力が供給されているか否かを監視し、それらの監視結果と、処理部１１２からの充電可否の応答情報とに基づいて、メモリ１０２に記憶されている対応する電力プロファイルを選択して、電力制御モードを設定する。本実施の形態では、電力制御部１１１において、充電池１０９の残容量を、予め設定した複数の閾値との比較に基づいて、高、中、低のいずれの領域に属するか監視する。
【００２２】
さらに、電力制御部１１１は、検出される充電池残容量が「低」の領域の場合は、処理部１１２を介して、例えば、表示部１０４、スピーカ１０５、バイブレータ１０７の少なくとも一つに充電報知信号を供給する。これにより、表示部１０４の表示画面を遷移させたり、スピーカ１０５やバイブレータ１０７を鳴動させたりして、ユーザに対して充電池１０９の残容量が少ないことを報知し、充電池１０９の充電を促すようにする。また、電力制御部１１１は、通信相手機器から、近くに充電器４００が存在する旨の充電可能の応答情報を受信した場合で、かつ、検出される充電池残容量が「低」の領域の場合は、処理部１１２および通信部１０１を介して、通信相手機器に充電報知信号を送信する。これにより、後述するようにして、携帯電話１００のユーザに対して、充電器４００の所在を認識させて、充電池１０９の充電を促すようにする。
【００２３】
図３は、メモリ１０２に記憶する電力プロファイルの一例を示す図である。図３においては、電力供給源が「充電器」の場合、および、電力供給源が「充電池」の場合で、充電可否が「可」で、かつ充電池残容量が「高」、「中」の場合は、動作内容を「最大パフォーマンス」としている。ここで、「最大パフォーマンス」とは、動作設定項目の全てを最大のパフォーマンスで動作させる電力プロファイル群で、第１電力制御モードに対応する。その他の動作内容欄の電力プロファイル群は、最大パフォーマンスで動作する第１電力制御モードよりも省電力で、それぞれ第２電力制御モードに対応する。なお、図３には、充電報知信号を送信する場合も示している。
【００２４】
図４は、図１に示したフェムトセル基地局３００の要部の構成を示す機能ブロック図である。フェムトセル基地局３００は、携帯電話端末１００と無線通信する第１通信部３０１、充電器４００とＢｌｕｅｔｏｏｔｈ等の近距離無線通信する第２通信部３０２、ソフトウェア等の書き込み領域や作業領域等として機能するメモリ３０３、各種設定等を行うための入力部３０４、ＬＥＤ（Light Emitting Diode）等を含む表示部３０５、一般回線に接続される外部Ｉ／Ｆ３０６、全体の動作を制御するＣＰＵを有する処理部３０７を備える。
【００２５】
このフェムトセル基地局３００は、図示しないＡＣ電源を駆動電源として、第１通信部３０１と携帯電話端末１００との間で無線通信を行い、この無線通信を中継として、携帯端末１００を、外部Ｉ／Ｆ３０６、図示しない一般回線、および移動体通信網を介して、相手電話端末やサーバと接続する。また、フェムトセル基地局３００は、携帯電話端末１００から、充電池１０９の充電可否問合せ情報を受信すると、その情報を処理部３０７で加工して、第２通信部３０２から充電器４００に転送する。その結果、充電器４００から応答があれば、第２通信部３０２で取得した応答情報を処理部３０７で加工して、第１通信部３０１から携帯電話端末１００に送信する。また、充電器４００から応答がなければ、携帯電話端末１００は充電不可能の環境にあるものとして、その旨を示す応答情報を処理部３０７で生成して、第１通信部３０１から携帯電話端末１００に送信する。
【００２６】
さらに、フェムトセル基地局３００は、携帯電話端末１００から充電報知信号を受信すると、その情報を処理部３０７で加工して、第２通信部３０２から充電器４００に転送する。
【００２７】
図５は、図１に示した充電器４００の要部の構成を示す機能ブロック図である。充電器４００は、フェムトセル基地局３００と近距離無線通信する通信部４０１、ソフトウェア等の書き込み領域や作業領域等として機能するメモリ４０２、各種設定等を行うための入力部４０３、ＬＥＤ（Light Emitting Diode）等を含む表示部４０４、ビープ音等を発生するスピーカ４０５、バイブレータ４０６、充電制御部４０７、充電Ｉ／Ｆ４０８、全体の動作を制御するＣＰＵを有する処理部４０９を備える。
【００２８】
この充電器４００は、充電Ｉ／Ｆ４０８を、携帯電話端末１００の充電Ｉ／Ｆ１１０に接続することにより、図示しないＡＣ電源を駆動電源として、充電制御部４０７の制御のもとに、携帯電話端末１００の充電池１０９を充電する。また、充電器４００は、無線部４０１を介してフェムトセル基地局３００から、携帯電話端末１００の充電池１０９の充電可否問合せ情報を受信すると、充電可否の応答情報を、無線部４０１を介してフェムトセル基地局３００に送信する。
【００２９】
ここで、充電器４００は、例えば、現在の充電器状態に応じて、充電Ｉ／Ｆ４０８に他の端末が接続されていない場合や、他の端末が接続されている場合でも、当該端末の充電池が既に満充電の場合は、充電可を示す応答情報を送信する。これに対し、充電Ｉ／Ｆ４０８に他の端末が接続されて、当該端末の充電池が充電中の場合は、充電器４００は、充電不可を示す応答情報を送信する。なお、この場合は、充電中の充電池が、満充電になるまでの時間を応答情報として送信したり、満充電になった時点で、充電可を示す応答情報を送信したりしてもよい。あるいは、充電器４００は、現在の充電器状態に関係なく、フェムトセル基地局３００からの充電可否問合せ情報を受信した場合には、充電可を示す応答情報を送信するようにしてもよい。
【００３０】
さらに、充電器４００は、フェムトセル基地局３００から充電報知信号を受信すると、処理部４０９を介して、表示部４０４、スピーカ４０５、バイブレータ４０６の少なくとも一つを駆動する。これにより、携帯電話端末１００のユーザに、充電器４００の所在を認識させるとともに、充電池１０９の残容量が少ないことを報知して、充電池１０９の充電を促す。
【００３１】
次に、図６に示すフローチャートを参照して、図２に示した本発明の第１実施の形態に係る携帯電話端末１００の電力制御モード設定動作について説明する。
【００３２】
先ず、処理部１１２は、充電Ｉ／Ｆ１１０が充電器４００に接続されていない状態で、通信部１０１を介してマクロセル基地局２００やフェムトセル基地局３００の通信相手機器を介してセッションを開始すると（ステップＳ６０１）、通信部１０１を介して当該通信相手機器に充電可否問合せ情報を送信する（ステップＳ６０２）。これにより、通信相手機器がフェムトセル基地局３００の場合は、上述したように、当該フェムトセル基地局３００と充電器４００との通信結果に応じて、フェムトセル基地局３００から応答情報が送信される。この応答情報は、通信部１０１で受信されて、処理部１１２を介して電力制御部１１１に供給される。
【００３３】
これに対し、通信相手機器がマクロセル基地局２００の場合は、当該マクロセル基地局２００からは、充電不可能を示す応答情報が送信される。なお、処理部１１２は、充電可否問合せ情報の送信後、所定時間が経過しても応答情報が受信されない場合は、所定時間が経過した時点で、充電不可能を示す応答情報を生成して電力制御部１１１に供給する。
【００３４】
電力制御部１１１は、処理部１１２から、充電可否問合せ情報に対する応答情報を受信すると（ステップＳ６０３）、その応答情報が充電可能か否かを判定する（ステップＳ６０４）。ここで、電力制御部１１１は、充電可能と判定した場合、すなわち、当該携帯電話端末１００が、フェムトセル基地局３００と接続中で、近くに充電器４００が存在する充電可能環境下に在ると判定した場合は、メモリ１０２に格納されている図３に示した電力プロファイルから、電力供給源が「充電池」の場合で、充電可否が「可」の電力プロファイルイ群を選択し（ステップＳ６０５）、次に、充電池１０９の残容量が高、中、低のいずれの領域に属するかを判定する（ステップＳ６０６）。
【００３５】
その結果、充電池１０９の残容量が「高」または「中」の領域と判定した場合は、ステップＳ６０５で選択した電力プロファイル群から対応する電力プロファイルを設定して、電力制御モードを第１電力制御モードに設定し（ステップＳ６０７）、ステップＳ６０６に戻る。したがって、この場合は、動作対象項目について、「最大パフォーマンス」で動作させる電力プロファイルが設定される。
【００３６】
これに対し、ステップＳ６０６において、充電池１０９の残容量が「低」の領域と判定した場合は、ステップＳ６０５で選択した電力プロファイル群から対応する電力プロファイルを設定して、電力制御モードを第２電力制御モードに設定し（ステップＳ６０８）、ステップＳ６０６に戻る。したがって、この場合は、動作対象項目について、「充電池の最大利用」で動作させる電力プロファイルが設定されて、充電池１０９の現在の残容量が最大限利用されて駆動される。また、この場合、電力制御部１１１は、上述したように、処理部１１２を介して、表示部１０４、スピーカ１０５、バイブレータ１０７の少なくとも一つに充電報知信号を供給して、表示部１０４の表示画面を遷移させたり、スピーカ１０５やバイブレータ１０７を鳴動させたりして、携帯電話１００のユーザに対し、充電池１０９の残容量が少ないことを報知する。さらに、電力制御部１１１は、処理部１１２および通信部１０１を介してフェムトセル基地局３００に充電報知信号を送信する。これにより、充電器４００において、その所在を認識させて、充電池１０９の充電を促す。
【００３７】
一方、ステップＳ６０４において、電力制御部１１１は、充電不可能と判定した場合、すなわち、当該携帯電話端末１００が、マクロセル基地局２００と接続中か、または、フェムトセル基地局３００と接続中で近くに充電器４００が存在しない、充電不可能環境下に在ると判定した場合は、メモリ１０２に格納されている図３に示した電力プロファイルから、電力供給源が「充電池」の場合で、充電可否が「否」の電力プロファイルイ群を選択し（ステップＳ６０９）、次に、ステップＳ６０６と同様に、充電池１０９の残容量が高、中、低のいずれの領域に属するか判定する（ステップＳ６１０）。そして、その判定結果に応じて、対応する電力プロファイルを設定して、電力制御モードを第２電力制御モードに設定し（ステップＳ６１１）、ステップＳ６１０に戻る。また、充電池１０９の残容量が「低」の場合、電力制御部１１１は、上述したように、携帯電話１００のユーザに対して、充電池１０９の残容量が少ないことを報知して、充電を促す。
【００３８】
以上のように、本実施の形態に係る携帯電話端末１００は、充電器４００に接続していない状態、すなわち充電池１０９のみで駆動する場合は、「近くに充電を行える環境がある」という要素を検出して、電力制御モードを設定する。すなわち、近くに充電器４００が存在する充電可能環境下で、フェムトセル基地局３００と通信する場合は、充電池１０９の残容量が「中」以上であれば、省電力モードである第２電力制御モードには移行せずに、充電器４００に接続した場合と同様に、第１電力制御モードを設定して、動作対象項目を最大のパフォーマンスで動作させる。したがって、使用感を大幅に向上でき、ユーザに対してストレスを感じさせるのを防止することができる。また、充電可能環境下での通信において、充電池１０９の残容量が「低」領域の場合は、その旨をユーザに報知するとともに、フェムトセル基地局３００に充電報知信号を送信して、ユーザに充電器４００の所在を容易に認識できるようにしたので、充電池１０９を迅速かつ容易に充電することが可能となる。
【００３９】
（第２実施の形態）
本発明の第２実施の形態に係る携帯電話端末は、第１実施の形態に係る携帯電話端末１００の構成において、電力制御部１１１は、充電可否問合せ情報に対する応答情報に、当該携帯電話端末１００の充電池１０９を充電可能な充電器ＩＤが含まれている場合に、充電可能環境下であると判定する。このため、メモリ１０２には、当該携帯電話端末１００の充電池１０９を充電可能な充電器ＩＤを予め格納しておく。また、図５に示した充電器４００においては、当該充電器４００の充電器ＩＤをメモリ４０２に格納して、携帯電話端末１００からフェムトセル基地局３００を介して充電可否問合せ情報を受信した場合は、メモリ４０２に格納されている充電器ＩＤを含む応答情報を、フェムトセル基地局３００を介して携帯電話端末１００に送信する。
【００４０】
また、電力制御部１１１は、充電可能環境下であると判定した場合は、充電池１０９の放電特性に基づいて、現在の充電池残容量が「低」の領域になるまでに、最大パフォーマンスで動作できる時間Ｔを演算して、予め設定した時間ｔと比較し、その比較結果に基づいて電力制御モードを設定する。
【００４１】
以下、図７に示すフローチャートを参照して、本発明の第２実施の形態に係る携帯電話端末１００の電力制御モード設定動作について説明する。
【００４２】
先ず、処理部１１２は、第１実施の形態の場合と同様に、充電Ｉ／Ｆ１１０が充電器４００に接続されていない状態で、通信部１０１を介してマクロセル基地局２００やフェムトセル基地局３００の通信相手機器を介してセッションを開始すると（ステップＳ７０１）、当該通信相手機器に充電可否問合せ情報を送信する（ステップＳ７０２）。これにより、通信相手機器がフェムトセル基地局３００の場合は、当該フェムトセル基地局３００と充電器４００との通信結果に応じて、フェムトセル基地局３００から充電器ＩＤを含む応答情報が送信される。この応答情報は、通信部１０１で受信されて、処理部１１２を介して電力制御部１１１に供給される。
【００４３】
電力制御部１１１は、処理部１１２から、充電可否問合せ情報に対する応答情報を受信すると（ステップＳ７０３）、その応答情報に含まれている充電器ＩＤが、メモリ１０２に格納されている充電可能な充電器ＩＤと一致するか否かを判定する（ステップＳ７０４）。ここで、電力制御部１１１は、充電器ＩＤが一致すると判定した場合、すなわち、当該携帯電話端末１００の充電器１０９が充電可能環境下に在ると判定した場合は、次に、充電池１０９の放電特性に基づいて、現在の充電池残容量が「低」の領域になるまでに、最大パフォーマンスで動作できる時間Ｔを演算して（ステップＳ７０５）、その算出した時間Ｔと設定時間ｔとを比較する（ステップＳ７０６）。
【００４４】
その結果、Ｔ≧ｔの場合は、電力制御部１１１は、図６のステップＳ６０５〜Ｓ６０８と同様に、メモリ１０２に格納されている図３に示した電力プロファイルから、電力供給源が「充電池」の場合で、充電可否が「可」の電力プロファイルイ群を選択し（ステップＳ７０７）、次に、充電池１０９の残容量が高、中、低のいずれの領域に属するか判定して（ステップＳ７０８）、その判定結果に応じて、残容量が「高」または「中」の場合は、電力制御モードを第１電力制御モードに設定し（ステップＳ７０９）、残容量が「低」の場合は、電力制御モードを第２電力制御モードに設定して（ステップＳ７１０）、ステップＳ７０８に戻る。
【００４５】
これに対し、Ｔ＜ｔの場合は、電力制御部１１１は、充電可の電力プロファイル群から第２電力制御モードに対応する電力プロファイル群のみを選択し（ステップＳ７１１）、次に、充電池１０９の残容量が高、中、低のいずれの領域に属するかを判定して（ステップＳ７１２）、その判定結果に応じて、対応する電力プロファイルを選択して、電力制御モードを第２電力制御モードに設定し（ステップＳ７１３）、ステップＳ７１２に戻る。なお、ステップＳ７１１で選択する電力プロファイル群は、例えば、図３において、充電可否が「否」の電力プロファイル群と同様の電力プロファイル群とする。
【００４６】
一方、ステップＳ７０４において、電力制御部１１１は、充電器ＩＤが一致しないと判定した場合、すなわち、当該携帯電話端末１００の充電器１０９が充電不可能環境下に在ると判定した場合は、図６のステップＳ６０９〜Ｓ６１１と同様に、メモリ１０２に格納されている図３に示した電力プロファイルから、電力供給源が「充電池」の場合で、充電可否が「否」の電力プロファイルイ群を選択し（ステップＳ７１４）、次に、充電池１０９の残容量が高、中、低のいずれの領域に属するかを判定して（ステップＳ７１５）、その判定結果に応じて、対応する電力プロファイルを設定して、電力制御モードを第２電力制御モードに設定し（ステップＳ７１６）、ステップＳ７１５に戻る。その他、ユーザに対して充電を促したり、充電器４００の所在を認識させたりする充電報知等の処理については、第１実施の形態と同様である。
【００４７】
本実施の形態に係る携帯電話端末１００によれば、フェムトセル基地局３００からの応答情報に、当該携帯電話端末１００に適合する充電器ＩＤがある場合に、充電可能環境下に在ると判定するので、携帯電話端末１００を確実に充電することが可能となる。また、携帯電話端末１００が充電可能環境下に在る場合であっても、現在の充電池残容量が「低」の領域になるまでに、最大パフォーマンスで動作できる時間Ｔが、設定時間ｔ以上の場合に、第１電力制御モードを設定するので、途中で省電力モードになるのを有効に防止でき、余裕をもって充電することが可能となる。
【００４８】
なお、本発明は、上記実施の形態にのみ限定されるものではなく、幾多の変形または変更が可能である。例えば、上記実施の形態において、電力制御部１１１は、充電可能環境下にあると判定した場合、充電池１０９の残容量を判定することなく、すなわち、残容量に拘らず、第１電力制御モードに設定することもできる。また、携帯電話端末１００は、充電器４００のが近くに存在する可能性の高い通信相手機器（上記実施の形態の場合は、フェムトセル基地局３００）に無線接続した場合にのみ、充電可否問合せ情報を送信するように構成することもできる。
【００４９】
また、充電器４００は、フェムトセル基地局３００に有線により接続したり、フェムトセル基地局３００に内蔵したりすることもできる。さらに、フェムトセル基地局３００は、充電器４００の位置情報を含む応答情報を送信することもできる。ここで、充電器４００の位置情報は、充電器４００にＧＰＳを搭載して取得したり、ユーザ設定により登録したりすることができる。また、フェムトセル基地局３００が位置情報を有する場合で、充電器４００がフェムトセル基地局３００と無線通信する場合は、フェムトセル基地局３００からの無線信号の強度に基づいて充電器４００の位置情報を推定することができる。また、フェムトセル基地局３００が位置情報を有する場合で、充電器４００がフェムトセル基地局３００に有線で接続されたり、内蔵されたりしている場合は、フェムトセル基地局３００の位置情報を充電器４００の位置情報として送信することもできる。
【００５０】
さらに、フェムトセル基地局３００と充電器４００とが独立している場合は、ユーザにより、事前にフェムトセル基地局３００に充電器４００の有無を登録して、携帯電話端末１００から充電可否問合せがあった場合に、フェムトセル基地局３００から直接、携帯電話端末１００に対して充電可否を示す応答情報を送信することもできる。また、フェムトセル基地局３００は、携帯電話端末１００との間の無線通信の信号強度、ならびに、充電器４００と無線通信する場合は、その信号強度に基づいて、携帯電話端末１００と充電器４００との間の距離を予測し、距離情報を応答情報に含ませて携帯電話端末１００に送信してもよい。
【００５１】
また、本発明は、上述した携帯電話端末に限らず、通信機能を搭載したモバイルＰＣやＰＤＡ（Personal Digital Assistants）等の移動局にも有効に適用することができる。さらに、通信相手機器は、フェムトセル基地局に限らず、無線ＬＡＮの基地局やＢｌｕｅｔｏｏｔｈ機器と通信する場合にも有効に適用することができるとともに、充電器と直接通信する場合にも有効に適用することができる。
【図面の簡単な説明】
【００５２】
【図１】本実施の形態に係る携帯電話端末の使用態様を説明するための図である。
【図２】図１に示した携帯電話端末の要部の構成を示す機能ブロック図である。
【図３】図２に示したメモリに記憶する電力プロファイルの一例を示す図である。
【図４】図１に示したフェムトセル基地局の要部の構成を示す機能ブロック図である。
【図５】図１に示した充電器の要部の構成を示す機能ブロック図である。
【図６】本発明の第１実施の形態に係る携帯電話端末の電力制御モード設定動作を説明するためのフローチャートである。
【図７】本発明の第２実施の形態に係る携帯電話端末の電力制御モード設定動作を説明するためのフローチャートである。
【符号の説明】
【００５３】
１００  携帯電話端末
１０１  通信部
１０２  メモリ
１０３  入力部
１０４  表示部
１０５  スピーカ
１０６  マイク
１０７  バイブレータ
１０８  外部Ｉ／Ｆ
１０９  充電池
１１０  充電Ｉ／Ｆ
１１１  電力制御部
１１２  処理部
２００  マクロセル基地局
３００  フェムトセル基地局
３０１  第１通信部
３０２  第２通信部
３０３  メモリ
３０４  入力部
３０５  表示部
３０６  外部Ｉ／Ｆ
３０７  処理部
４００  充電器
４０１  通信部
４０２  メモリ
４０３  入力部
４０４  表示部
４０５  スピーカ
４０６  バイブレータ
４０７  充電制御部
４０８  充電Ｉ／Ｆ
４０９  処理部
【図１】
2010056922.tif 000003
【図２】
2010056922.tif 000004
【図３】
2010056922.tif 000005
【図４】
2010056922.tif 000006
【図５】
2010056922.tif 000007
【図６】
2010056922.tif 000008
【図７】
2010056922.tif 000009